(57)【要約】【課題】回転ドラムの内壁に被覆材が付着することを防止可能なコーティング装置を提供する。【解決手段】被覆材（溶媒を含むものを除く）を噴霧するノズル部３と、被覆対象物を投入するための投入孔２と、該被覆対象物に被覆材をコーティングするための回転ドラム４と、該被覆材がコーティングされた該被覆対象物を装置外に出すための出口孔６とを備えるコーティング装置１において、回転ドラム４を、投入孔２側から出口孔６側に向かって前下がりに傾斜する様に設けられると共に少なくともその内壁９は多角筒状に形成するものとし、内壁９に、かき板１３を設ける。【選択図】図１
2015144998.tif 000002
【特許請求の範囲】
【請求項１】
被覆材（溶媒を含むものを除く）を噴霧するノズル部と、被覆対象物を投入するための投入孔と、該被覆対象物に被覆材をコーティングするための回転ドラムと、該被覆材がコーティングされた該被覆対象物を装置外に出すための出口孔とを備えるコーティング装置であって、
該回転ドラムは、該投入孔側から該出口孔側に向かって前下がりに傾斜する様に設けられると共に少なくともその内壁は多角筒状に形成されており、
該内壁には、かき板を設けられていることを特徴とするコーティング装置。
【請求項２】
前記回転ドラムの内面は、六角筒状、七角筒状、八角筒状、九角筒状又は十角筒状であることを特徴とする請求項１に記載のコーティング装置。
【発明の詳細な説明】
【技術分野】
【０００１】
本発明は、コーティング装置に関し、より詳細には、溶媒を含まない被覆材を用いるためのコーティング装置に関する。
【背景技術】
【０００２】
従来、家畜等の食欲増進等のために、飼料を糖蜜や脂質等をコーティングした配合飼料がある（例えば、特許文献１を参照）。この様な配合飼料は、ペレット状やフレーク状の飼料等の被覆対象物に糖蜜や脂質等の被覆材を噴霧し、回転式ドラムを備えるコーティング装置を用い、当該飼料の表面をコーティングすることで製造される。
【先行技術文献】
【特許文献】
【０００３】
【特許文献１】特開平１１−７５７１１号公報
【発明の概要】
【発明が解決しようとする課題】
【０００４】
飼料のコーティングは、被覆材を溶質として溶媒（水等）に溶解し溶液等とし、当該溶液を被覆対象物に噴霧する湿式噴霧コーティングではなく、加熱等して粘性を低下させた被覆材を直接噴霧する乾式噴霧コーティングで行われる。
【０００５】
当該被覆材は、回転ドラムや被覆対象物等に接触しその温度が下がると、元の粘性の高い状態へと戻るため、回転ドラムの内壁に被覆対象物に付着しなかった被覆材が付着し、固着してしまうことが多い。しかしながら、この様な乾式噴霧コーティングにおいては、通常、コーティング終了毎に機内を清掃する際に、容易に水洗をすることができないため、内壁に固着した被覆材はスクレーバ等でかき取ることとなるが、回転ドラムの内壁は円筒形であったため、非常に困難な作業であった。
【０００６】
そこで、本発明は、回転ドラムの内壁に被覆材が付着することを防止可能なコーティング装置を提供することを目的とする。
【課題を解決するための手段】
【０００７】
本発明は、被覆材（溶媒を含むものを除く）を噴霧するノズル部と、被覆対象物を投入するための投入孔と、該被覆対象物に被覆材をコーティングするための回転ドラムと、該被覆材がコーティングされた該被覆対象物を機外に出すための出口孔とを備えるコーティング装置であって、該回転ドラムは、該投入孔側から該出口孔側に向かって前下がりに傾斜する様に設けられると共に少なくともその内壁は多角筒状に形成されており、該内壁には、かき板を設けられていることを特徴とするコーティング装置である。前記回転ドラムの内面は、六角筒状、七角筒状、八角筒状、九角筒状又は十角筒状とすることが可能である。
【発明の効果】
【０００８】
本発明は、上記の様に構成したので、より効率よく被覆材と被覆対象物とを混合することができる。従って、回転ドラムの内壁に付着する被覆材の量を低減することが可能であり、その結果、回転ドラムの内壁に被覆材が付着することを防止できる。
【図面の簡単な説明】
【０００９】
【図１】本発明の実施形態を示す正面図である。
【図２】本発明の実施形態を示す側面図である。
【図３】図２のIII−III線断面図である。
【図４】図３の要部拡大図である。
【発明を実施するための形態】
【００１０】
本発明の実施形態を図１乃至図４に基づき説明する。コーティング装置１は、投入孔２、ノズル３、回転ドラム４、駆動装置５及び出口孔６を備える。
【００１１】
投入孔２は、フレーク状又はペレット状の飼料等の被覆対象物を、コーティング装置１内に投入するために設けられ、略円筒形をしている。回転ドラム４の基端部４ａに挿通可能に設けられる。本実施形態において、投入孔２には、回転ドラム４の開口部４ｂを閉塞するためのカバー部２ａが設けられている。
【００１２】
出口孔６は、回転ドラム４内でコーティングした被覆対象物をコーティング装置１外に出すために設けられる。本実施形態において、出口孔６は、基端が出口カバー７の下端と連続して設けられる出口ホッパー１４の先端に形成されている。
【００１３】
ノズル３は、加熱手段等を備える被覆材供給部（図示せず）と接続されており、加熱等によって粘性の下げられた糖蜜や脂質等の被覆材を被覆対象物に噴霧するために設けられる。ノズル３は、回転ドラム４の基端より回転ドラム４内に挿通されており、その先端に被覆材を噴霧するための噴霧部３ａが設けられる。
【００１４】
駆動装置５は、回転ドラム４を回転するために設けられる駆動源である。駆動装置５は、回転ドラムの基端部４ａに設けられたスプロケット部４ｄにベルト等の動力伝達部材を介して、動力伝達し、回転ドラム４を回転させる。本実施形態においては、所望する回転ドラム４の回転を得るために動力伝達手段に緊張を与えると共に回動可能となっているテンショナー８が設けられている。
【００１５】
回転ドラム４は、被覆材を被覆対象物にコーティングするために設けられる。回転ドラム４は、基端部４ａに投入孔２が挿通される開口部４ｂが形成され、先端部４ｃは出口カバー７内に挿入されている。即ち、回転ドラム４は、投入孔２及び出口カバー７（出口孔６）とは独立して回転可能となっている。回転ドラム４の基端部４ａには、開口部４ｂを囲む様にスプロケット部４ｄが形成される。又、回転ドラム４は、投入孔２側（基端部４ａ側）から出口孔６（先端部４ｃ側）に向かって前下がりに傾斜する様に設けられる。
【００１６】
回転ドラム４の内壁９は、多角筒状、好ましくは、六角筒状、七角筒状、八角筒状、九角筒状又は十角筒状（その内角の和が内角の和が７２０°乃至１４４０°の範囲）に形成され、樹脂製シート１３が貼られていると共にその平面部９ａにかき板１０が取付けられている。つまり、内壁９は、複数の平面部９ａを有しており、隣接する平面部９ａ，９ａの間には角部９ｂが形成されていることとなる。かき板１０は、被覆対象物をかき分けその移動に変化をつけるためのものであり、断面視略Ｖ字状に形成されると共に回転ドラムの基端部４ａ側から先端部４ｃ側へと延在している。
【００１７】
本実施形態においては、回転ドラム４は、その外壁１１も内壁９と同形状となっており、外壁１１には、輪状凸部１１ａが設けられている。輪状凸部１１ａは、回転ドラム４と共に回動可能に設けられると共に回転ドラム４を支持する２つの回転補助輪１２と摺動可能に設けられており、回転ドラム４の回転を補助するものである。
【００１８】
回転ドラム４は、その回転によって、内壁９が回転ドラム４内の被覆対象物の安息角を超えた際に、被覆対象物が崩れ落ちることなく、内壁９に沿って落ちるような回転速度で駆動装置５によって回転可能となっている。この際、回転ドラム４は、出口ホッパー１４（出口孔６）に向かって前下がりに傾斜しているため、回転ドラム４の回転によって、被覆対象物は出口孔に向かって徐々に前進するように落ちていく。かき板１０は、被覆対象物をかき上げ、被覆対象物をその上に保持することで、当該落下を部分的に遅らせることでより高い位置から被覆対象物を落とすことを可能にし、より被覆対象物と被覆材が混合可能にしている。
【００１９】
又、回転ドラム４の内壁９は、多角筒形であり、角部９ｂが形成されているため、角部９ｂで被覆対象物の保持が可能である。従って、角部９ｂによって、かき板１０と同様に、被覆対象物の落下を部分的に遅らせることが可能であるため、かき板１０と共により効率的に被覆対象物と被覆材が混合可能とする。
【００２０】
更に、本実施形態おいては、例え、被覆材が内壁９に付着しても、かき板１０及び角部９ｂによって、より高い位置から三次元的に被覆対象物が内壁９へと落下させることで、付着していた被覆材が、被覆対象物にかき取られ、被覆対象物に付着（コーティング）させることが可能としている。つまり、コーティング装置１は、被覆対象物をコーティングすると同時にその内壁９を清掃する自己清掃機能を有するといえる。
【００２１】
従って、コーティング装置１は、かき板１０と回転ドラム内壁９の角部９ｂによって、三次元的に被覆対象物を落下させることで、より効率よくコーティング可能であるため、内壁９に付着する被覆材を僅少にすることができる。そのため、回転ドラム４の内壁９に被覆材が付着することを防止可能となる。僅かに内壁９に付着した被覆材は、内壁９は平面で構成されているため、スクレーバ等で容易にかき取ることが可能である。
【００２２】
更に、本実施形態においては、自己清掃機能によって、僅かに内壁９に付着した被覆材についても被覆対象物をコーティングすると同時に除去することが可能であるため、より回転ドラム４の内壁９に被覆材が付着することを防止可能となる。
【００２３】
尚、回転ドラム４を多角筒状にしたことによる、副次的な効果として、回転ドラム４を複数の板状部材から構成することが可能となり、樹脂製フィルム１３が摩耗した等によって、樹脂製フィルム１３を交換する際に、当該板状部材を交換すればよくなることが挙げられる。
【００２４】
本発明を上記実施形態によって説明したが、本発明は上記実施形態に限定されるものではなく、発明の要旨を変更しない範囲で適宜変更可能である。例えば、回転ドラム４の回転制御機構や角度制御機構を設けてもよい。
【符号の説明】
【００２５】
１      コーティング装置        ２      投入孔              ２ａ    カバー部
３      ノズル                  ３ａ    噴霧部              ４      回転ドラム
４ａ    基端部                  ４ｂ    開口部              ４ｃ    先端部
４ｄ    スプロケット部          ５      駆動装置            ６      出口孔
７      出口カバー              ８      テンショナー        ９      内壁
９ａ    平面部                  ９ｂ    角部                １０    かき板
１１    外壁                    １１ａ  輪状凸部            １２    回転補助輪
１３    樹脂製シート            １４    出口ホッパー
【図１】
2015144998.tif 000003
【図２】
2015144998.tif 000004
【図３】
2015144998.tif 000005
【図４】
2015144998.tif 000006